(57)【要約】【課題】本発明の目的は、ロード動作の開始と記録動作の開始との間の遅延を低減することである。【解決手段】単一の記録媒体をロードするロード手段を有する記録装置は、ロード手段がその終点に到達したことを検出する手段を有するのみならず、ロード手段が現在記録媒体をロード又はアンロードしているという情報を提供する。これは、ロード手段がロード動作の完了を準備するよう動作している間に記録装置が作動を開始することを可能にする。ロード動作の進行インジケータは、記録装置による作動の更に良いタイミングを実現する。記録装置は、ロード動作が特定の進行に達成するとバッファに記録を始め、バッファサイズは、ロード動作の残りの期間を埋めるに十分である。従って、記録されるべき情報の損失は低減される。
2006526865.tif 000002
【特許請求の範囲】
【請求項１】
単一の記録媒体をロードするよう配置されたロード手段を有し、ロード手段状態を決定するためのロード手段状態決定手段を有する記録装置において、
前記ロード手段状態決定手段は、前記記録媒体をロードするロード手段動作を表わすロード手段状態を検出するよう作動することを特徴とする記録装置。
【請求項２】
単一の記録媒体をロードするよう配置されたロード手段を有し、ロード手段状態を決定するためのロード手段状態決定手段を有する記録装置において、
前記ロード手段状態決定手段は、前記記録媒体をアンロードするロード手段動作を表わすロード手段状態を検出するよう作動することを特徴とする記録装置。
【請求項３】
単一の記録媒体をロードするよう配置されたロード手段を有し、ロード手段状態を決定するためのロード手段状態決定手段を有する記録装置において、
前記ロード手段状態決定手段は、停止ロード手段を表わすロード手段状態を検出するよう作動することを特徴とする記録装置。
【請求項４】
前記ロード手段状態は、進行インジケータを有することを特徴とする、請求項１又は２記載の記録装置。
【請求項５】
前記進行インジケータは、前記ロード手段のロード動作が完了するまでの時間期間を表わすことを特徴とする、請求項１記載に従属する請求項４記載の記録装置。
【請求項６】
前記記録媒体をロードするロード手段動作を表わすロード手段状態が検出されるときに記録動作を開始するよう作動することを特徴とする、請求項１、４又は５記載の記録装置。
【請求項７】
前記記録媒体をロードするロード手段動作を表わすロード手段状態に関連する前記進行インジケータが所定の値に到達するときに記録動作を開始するよう作動することを特徴とする、請求項６記載の記録装置。
【請求項８】
バッファサイズを有するバッファを更に有し、
前記進行インジケータの前記所定の値は、前記バッファサイズによって決定されることを特徴とする、請求項７記載の記録装置。
【請求項９】
実時間情報を記録するための記録装置であることを特徴とする、請求項１乃至８のうちいずれか一項記載の記録装置。
【請求項１０】
前記停止ロード手段を表わすロード手段状態が検出されるときに記録動作を中断するよう作動することを特徴とする、請求項４記載の記録装置。
【請求項１１】
表示装置に警告を出すよう作動することを特徴とする、請求項１０記載の記録装置。
【請求項１２】
前記ロード手段状態決定手段は、前記記録装置の外部インターフェースを介してアクセス可能なロード手段状態報告手段を有することを特徴とする、請求項１乃至３のうちいずれか一項記載の記録装置。
【請求項１３】
前記ロード手段状態報告手段は、機構状態ヘッダでロード手段状態を報告するよう作動することを特徴とする、請求項１２記載の記録装置。
【請求項１４】
前記ロード手段状態報告手段は、前記機構状態ヘッダでチェンジャー状態領域にあるロード手段状態を報告するよう作動することを特徴とする、請求項１３記載の記録装置。
【請求項１５】
前記ロード手段状態報告手段は、前記ロード手段が前記記録媒体をロードするときに１００ｂのロード手段状態を、前記ロード手段が前記記録媒体をアンロードするときに１０１ｂのロード手段状態を、前記ロード手段が停止されるときに１１０ｂのロード手段状態を報告するよう作動することを特徴とする、請求項１４記載の記録装置。
【請求項１６】
ロード手段に記録媒体を挿入するステップと、前記ロード手段を動作させるステップと、記録動作を開始するステップとを有する、前記記録媒体に情報を記録するための方法において、
前記記録動作の開始は、前記ロード手段の動作と同時に起こることを特徴とする、前記記録媒体に情報を記録するための方法。
【請求項１７】
前記ロード手段の状態は、前記記録動作の開始前に決定されることを特徴とする、請求項１６記載の前記記録媒体に情報を記録するための方法。
【請求項１８】
前記状態は、値を有する進行インジケータを有し、
該進行インジケータの所定の値は、前記記録動作の開始前に到達されなければならないことを特徴とする、請求項１７記載の前記記録媒体に情報を記録するための方法。
【請求項１９】
前記進行インジケータは、ロード手段の動作が完了するまでの時間期間を表わすことを特徴とする、請求項１８記載の前記記録媒体に情報を記録するための方法。
【請求項２０】
記録される前に、前記情報は、バッファサイズを有するバッファに保存され、
前記進行インジケータの所定の値は、前記バッファサイズによって決定されることを特徴とする、請求項１９記載の前記記録媒体に情報を記録するための方法。
【請求項２１】
前記記録動作は、停止ロード手段を表わすロード手段状態が検出されるときに中断されることを特徴とする、請求項１６記載の前記記録媒体に情報を記録するための方法。
【発明の詳細な説明】
【技術分野】
【０００１】
本発明は、記録媒体をロードするロード手段を有し、ロード手段状態を検出するためのロード手段状態検出手段を有する記録装置と、ロード手段に記録媒体を挿入し、ロード手段を動作して記録動作を開始するステップを有する記録媒体に情報を記録するための方法とに関する。
【背景技術】
【０００２】
このような記録装置及び方法は、例えばテープ又は光ディスクのような移動可能な記録媒体を有する記録装置に対する命令について記述した作業草案ＮＣＩＴＳ  Ｔ１０／１３６３−Ｄ改定１０ｇＳＣＳＩマルチメディアコマンズ−３（ＭＭＣ−３）から知られる。
【０００３】
記録の前にロード動作が開始され、記録装置及び記録媒体の初期化又は校正が完了されなければならない。
【０００４】
ロード動作の完了は、トレーの開閉を報告しうるロード手段状態によって表わされる。
【０００５】
このような記録装置の欠点は、ロード動作の開始と記録動作の開始との間の遅延を導入することであって、このような遅延を装置の使用者は好まない。
【非特許文献１】作業草案ＮＣＩＴＳ  Ｔ１０／１３６３−Ｄ改定１０ｇＳＣＳＩマルチメディアコマンズ−３（ＭＭＣ−３）
【発明の開示】
【発明が解決しようとする課題】
【０００６】
本発明の目的は、ロード動作の開始と記録動作の開始との間の遅延を低減することである。
【課題を解決するための手段】
【０００７】
この目的は、本発明の記録装置が、ロード手段状態決定手段が、前記記録媒体をロードするロード手段動作を表わすロード手段状態を検出するよう作動することを特徴とすることで達成される。
【０００８】
実際のロード動作の状態の検出は、記録装置が記録の開始の準備を開始することを可能にする。従って、記録装置は、記録の開始の準備の前に、ロード処理の完了の確認を待つ必要がない。このように、ロード動作の開始と記録動作の開始との間の遅延の低減が達成される。
【０００９】
更なる実施例は、前記ロード手段状態が進行インジケータを有することを特徴とする。
【００１０】
記録装置がロード動作の進行具合を知るとき、記録装置は、実際の記録が開始されうるときに全ての準備が完了していることを確実にする適切な時間で記録の開始のための準備を開始することができる。
【００１１】
多数の準備が必要とされるとき、記録装置は、同時に全ての準備を確実にするわけではない適切な時間で準備を開始することができ、このようにして記録装置に情報資源を蓄える。あるいは、夫々の準備は、ロード動作が完了するときにそれらが全て完了することを確実にし、ロード動作の開始と記録動作の開始との間の遅延を低減する最後の一瞬に開始されることができる。
【００１２】
更なる実施例は、前記進行インジケータが前記ロード手段のロード動作が完了するまでの時間期間を表わすことを特徴とする。
【００１３】
百分率インジケータに加えて、時間インジケータが非常に有用でありうる。記録装置は、例えば、ロード動作を完了するために要する時間を前のロード動作から知っても良く、ロード動作の残りの期間を更に正確に予測することができる。ロード動作は機械装置によって実行されるので、ロード動作の実際の期間は、記録装置によって幅広く変化しうる。記録装置は、その場合、それ自体のロード手段のロード動作の実際の期間を知るので、記録装置への技術的一定安全域が、生産系列から全ての記録装置が実際の記録開始の前に準備を完了することを確実にする必要はない。従って、装置ごとに、ロード動作の開始と記録動作の開始との間の遅延の低減は達成される。
【００１４】
更なる実施例は、前記記録装置が、前記記録媒体をロードするロード手段動作を表わすロード手段状態が検出されるときに記録動作を開始するよう作動することを特徴とする。
【００１５】
実際のロード動作が検出されるとすぐに、記録媒体がロードされて、記録が可能となるまでの時間が予測され、記録の開始の準備の適切なスケジューリングが可能となる。
【００１６】
更なる実施例は、前記記録装置が、前記記録媒体をロードするロード手段動作を表わすロード手段状態に関連する前記進行インジケータが所定の値に到達するときに記録動作を開始するよう作動することを特徴とする。
【００１７】
記録装置は、記録の開始の準備に要する時間を知る。従って、記録装置は、進行インジケータが特定の値に到達する瞬間にその動作を開始することができる。
【００１８】
更なる実施例は、前記記録装置がバッファサイズを有するバッファを更に有し、前記進行インジケータの前記所定の値が前記バッファサイズによって決定されることを特徴とする。
【００１９】
記録装置が記録媒体に実際の記録を開始する前に行う準備の一つは、バッファに記録されるべき情報を保存することである。バッファは、特定の量の情報を保存することができるバッファサイズを有する。この特定の量の情報は、特定の可変なビットレートを有する情報のストリームである情報の期間に対応する。
【００２０】
従って、記録装置は、ロード動作が完了する前に確かにｘ秒以下を要することを知るので、記録媒体での記録動作の開始前のロード動作の間にｘ秒間情報をバッファリングし始めることが可能である。進行インジケータは、記録装置が、記録媒体での記録が開始しうる前に必要とされる更なる時間がどの程度であるか、且つ、記録媒体での記録が開始しうるまでに情報をバッファリングするほど十分にバッファが長いか否かを決定することを可能にする。
【００２１】
また一方、進行インジケータがあるので、記録装置は、ロード期間の間にロード動作の残りの期間を決定することができ、ロード動作の開始を決定し、標準的なロード動作期間に基づいて記録動作の開始を推定する必要はない。ロード動作の開始と記録動作の開始との間の遅延の低減は、このようにして達成される。
【００２２】
更なる実施例は、前記記録装置が実時間情報を記録するための記録装置であることを特徴とする。
【００２３】
遅延は、実時間情報を記録するときに特に害を及ぼす。
【００２４】
例えば、ビデオカセット記録装置を考えたとき、留意すべきは、使用者が例えばテレビ番組のような興味のある実時間情報を見て、この番組を記録することを欲するときに、使用者はビデオテープを挿入し（空のビデオテープを探し回った後で）、ロード動作が完了し、テープがカセットから引き出されて、ＶＣＲ駆動部を介して巻きつけられて開始されるまで待たなければならないことである。潜在的に有用である実時間情報は失われ、回復することができない。
【００２５】
例えば映像ストリームのような実時間ストリームを停止することができないことは明らかである。従って、実時間情報が届く間に新しい記録媒体が記録装置にロードされるべきであるときに失われるデータ量を最小限にするために、バッファリングが可能な限り早く始まるべきである。本発明は、上述したように、記録の最早の開始とバッファリングの最早の開始とを可能にし、実時間情報の記録を開始するときに失われる情報を最小限にすることができる。ロード動作の間に情報をバッファリングすることができるバッファによって、記録媒体がロード手段に置かれ、記録が記録ボタンを押すこと又は記録命令を提示することによって初期化された後で情報は失われない。
【００２６】
更に、進行インジケータの有効性のために、バッファの使用は、ロード動作に必要とされる時間にバッファリング容量を適合させるよう最適化されうる。同量のバッファは、ロード期間を変化させることでロード手段と共に使用されうる。例えば、ビットレートの低減は、記録装置が平均よりも遅いロード手段を有するときに入来する情報で起こりうる。従って、バッファは、情報の損失を回避するためにやはり十分である。記録装置が平均よりも早いロード手段を有するとき、予備のバッファ容量は、より高品質を達成するより高いビットレートによって情報をバッファリングするために使用されうる。
【００２７】
更なる実施例は、前記記録装置が、前記停止ロード手段を表わすロード手段状態が検出されるときに記録動作を中断するよう作動することを特徴とする。
【００２８】
ロード動作が命じられると、停止ロード手段を検出することが重要である。
【００２９】
これは、バッファリング手段が、使用者が状況を補正することを可能にするよう、例えばより低いビットレートによって情報を保存することによって調整されることを可能にする。
【００３０】
更なる実施例は、前記記録装置が表示装置に警告を出すよう作動することを特徴とする。
【００３１】
使用者が補正動作を取りうる前に、警告は、ソフトウェア又はハードウェアのインターフェースを介して、警報音若しくは表示、又はより高レベルなアプリケーションに「停止ロード手段」状態を報告することによって提示されなければならない。
【発明を実施するための最良の形態】
【００３２】
本発明を図面に基づいて論じる。
【００３３】
図１は、記録装置を示す。
【００３４】
記録装置１は、入出力１３を介して他の装置と通信するためのインターフェース２を有する。記録装置は、ロード手段状態を報告する状態レジスタ４と、記録媒体に情報を保存する前に入来する情報を一時的に保存するバッファとを有する処理器３を更に有する。処理器３は、表示部を有する表示インターフェース１１及びキーボードユニット６を介して通信する。これは、記録装置１が、例えば「記録開始」命令のような使用者からの命令を受信することを可能にし、例えばロード手段状態又は警告のような記録処理に関する情報を表示することができる。命令の受信及び状態の報告は、また、例えばコンピュータのような記録装置１に接続された他の装置に対してインターフェース２を介して実行されうることは明らかである。この場合、記録装置は、ＩＤＥ又はＳＣＳＩインターフェースを介してコンピュータと通信する記録装置に基づくパーソナルコンピュータ（ＰＣ）である。処理器３は、機械式駆動機構７を更に制御する。
【００３５】
機械式駆動手段は、第一のインターフェース８を介して制御されるロード手段と、記録媒体に情報を書き込むための双方向性インターフェース９を介して制御される光ピックアップユニットのような記録手段と、第一のインターフェース８を介して制御される記録媒体を駆動する駆動手段と、読出しインターフェース１０を介して読み出されるロード手段状態決定手段とを有する。
【００３６】
動作に応じてロード手段を開始するための命令が、この記録動作の例では、インターフェース２又は表示及びキーボードユニット６のいずれかを介して記録装置１によって受信されるときに、処理器３は、例えば記録媒体のロードのようなロード手段の動作を開始する。読出しインターフェース１０を介して、ロード手段の実際の状態が読み出され、処理器は、記録のための準備を開始する。準備の一つは、インターフェース２からの情報をバッファ５に保存し始めることであり、残りは、処理器３が、ロード手段がロード動作を完了するための残りの時間がバッファ５にバッファリングすることができる時間内で受信される情報の量よりも少ないことを確かにすることである。
【００３７】
図２は、機械式駆動機構を示す。
【００３８】
機械式駆動機構７は、ロード手段を動作する第一のモータ２２を有する。第一のモータは、ロード手段２５に実装された対応する歯車２４を駆動する歯車２３に回転軸を介して接続されている。従って、第一のモータ２２は、記録媒体をロード又はアンロードするために、インターフェース８Ａを介して制御される。ロード手段２５は、位置決定手段２０がロード手段の位置を決定することを可能にする位置指示計２１を有する。位置指示計２１及び位置決定手段２０は共に、位置決定手段２０がインターフェース１０を介してロード手段の状態を報告する位置符号器を形成する。
【００３９】
機械式駆動機構７は、インターフェース９を介して記録媒体に書き込み、記録媒体から読み出す光ピックアップ２６と、例えばＣＤ又はＤＶＤ再生機で光記録ディスクを駆動するスピンドルモータのような、記録媒体を駆動するための駆動モータ２７とを更に有する。位置符号器は、ロード手段に実装されたマーキングを有する反射帯の動きを感知する光センサを含む様々な方法で実施されうる。あるいは、第一のモータ２２は、ロード手段の決定を可能にするモータ軸の角度位置に関する情報を提供する符号器を有しうる。更に、光ピックアップユニット２６は、ロード手段の動きが光ピックアップユニット２６の前にある帯の対応する動きをもたらすように、マーキングを有する帯がロード手段上に位置するときにロード手段の動きを検出することができる。絶対的な位置の表示が必要とされない場合には、マーキングを有する帯は、位置決定手段の検出可能な信号をもたらし、この信号から、位置決定手段は、ロード手段の動き及びロード手段の方向を導くことができる。
〔記録装置の命令系統における実施〕
本命令系統では、ロード手段状態、即ちトレーの状態の情報が提供される二つの位置がある。第一の位置は、媒体状態のバイト記述にある。
【００４０】
【表１】
2006526865.tif 000003
「媒体存在」状態ビットは、論理ユニットに媒体が存在する場合を示す。１のビットは、論理ユニットに媒体が存在することを示す。このビットは、「ドア又はトレーオープン」のビットとは無関係に報告される。ドア又はトレーが開いている間に論理ユニットが媒体の状態を報告する能力を支持しない場合には、論理ユニットは、ドア又はトレーが開いているときにこのビットをゼロに設定する。
【００４１】
「ドア又はトレーオープン」のビットは、トレー又はドアの機構が開いた状態にある場合を示す。１のビットはドア又はトレーが開いていることを示す
戻されたデータは、分類符号１１０ｂを有し、ＮＣＩＴＳ１０／１３６３−Ｄ作業草案で定義されている。
【００４２】
ロード手段状態が報告される第二の位置は、表１の機構状態命令によってアクセス可能な表３で示されるような機構状態ヘッダにある。ここで、機構状態領域は、機構の状態を報告する。
【００４３】
機構状態ヘッダ内の現スロット領域（８ビット領域）は、チェンジャーに対して選択された現スロットを示す。
【００４４】
現スロットの下位５ビットは、単一の記録媒体用のロード手段に対して、チェンジャー状態領域が必要とされないので、進行インジケータとして使用されうる。「機構状態」命令（表２）は、記録装置が装置の現在の状態に応答することを要求する。この命令は、論理ユニットの現在の動作状態に関してインジケータに情報を提供することを目的とする。記録装置は、ホストと使用者の両方から使用可能である。再生動作と同様に記録装置の中／外への媒体の移動は、外部の制御又はホスト命令に起因しうる。この命令は、ホストがチェンジャー機構で発生したことを知ることを可能にする方法を提供する。記録装置は、チェンジャー型ではない。
【００４５】
【表２】
2006526865.tif 000004
「割当長」領域は、記録装置からホストに転送される、機構状態パラメータリスト（表３参照。）のバイトで表わされる最大長さを表わす。ゼロの「割当長」領域は、データが転送されることを示す。この状態は、エラーと見なされない。
【００４６】
「制御バイト」領域は、留保される。記録装置は、この領域を無視する。
【００４７】
戻された機構状態パラメータリストは、ヘッダ（「エラー！参照源見つからず。」）のみを有する。記録装置は、チェンジャー命令を支持せず、そのとき、ホストに戻されたスロットテーブルの数はゼロである。
【００４８】
【表３】
2006526865.tif 000005
【００４９】
【表４】
2006526865.tif 000006
「誤り」ビットはゼロ（０ｂ）にデフォルトで選択されて、トレーがふさがれるときに、このビットは１に設定される。「チェンジャー状態」領域は、ゼロに消去される。「現スロット」は、ゼロに消去される。
【００５０】
「機構状態」領域（「エラー！参照源見つからず。」と、明るい緑の背景色に太字符号で表わされる。）は、記録装置による機構の現在の動作を符号化する。この領域のデフォルト値は１１１ｂに設定される。
【００５１】
ロード手段状態は、表４で示されるような機構状態領域で報告されうる。
【００５２】
【表５】
2006526865.tif 000007
トレーが閉じられているとき、「ドアオープン」ビットは０である。そうでない場合には、このビットは１に設定される。音声が再生されていない場合に、「現在のＬＢＡ（ロジック・ブロック・アドレッシング）」領域はゼロに消去される。そうでない場合には、値は現在のサブチャネルから計算される。「使用可能なスロット数」はゼロに消去される。「スロットテーブルの長さ」はゼロに設定される。
【００５３】
トレーが閉じられた状態の記録装置によって媒体がロードされるとき、ＴＯＣ（テーブル・オブ・コンテンツ）は自動的に読み出される。これは、新しい媒体事象をも表わす。
【００５４】
あるいは、チェンジャー状態領域は、それが既に類似の情報を有するので、使用されうる。この領域は、単一の記録媒体用のロード手段に対して使用されえないからである。
【００５５】
支持されるエラー報告が表６に定義されている。
【００５６】
【表６】
2006526865.tif 000008
【図面の簡単な説明】
【００５７】
【図１】記録装置を示す。
【図２】機械式駆動機構を示す。
【図１】
2006526865.tif 000009
【図２】
2006526865.tif 000010
【国際調査報告】
2006526865.tif 000011
2006526865.tif 000012